(57)【要約】【課題】旋回部材が旋回する際に発生する騒音及び／又は振動を低減すると共に、耐久性にも優れた衛生洗浄装置の洗浄ノズルを提供する。【解決手段】ノズルヘッド２３に設けられ、円筒状に形成された部屋４５の周面に沿って洗浄水が供給される旋回室４２と、この旋回室４２の上部に設けられた開口部４６と、一端部が開口部４６側に配置され、他端部が旋回室４２内の円周方向に回転可能に設けられ、しかも内部には旋回室４２に供給された洗浄水を一端部側から吐出可能とする吐水流路５０が形成された旋回部材４７とを備え、旋回室４２へ供給された洗浄水の運動エネルギーによって旋回部材４７が旋回する衛生洗浄装置の洗浄ノズル１０において、ノズルヘッド２３には、旋回部材４７が旋回する際に発生する騒音及び／又は振動を低減する騒音低減手段５２が設けられている。【選択図】        図１
2004285565.tif 000002
【特許請求の範囲】
【請求項１】
ノズルヘッドに設けられ、円筒状に形成された部屋の周面に沿って洗浄水が供給される旋回室と、この旋回室の上部に設けられた開口部と、一端部が前記開口部側に配置され、他端部が前記旋回室内の円周方向に回転可能に設けられ、しかも内部には前記旋回室に供給された洗浄水を一端部側から吐出可能とする吐水流路が形成された旋回部材とを備え、前記旋回室へ供給された洗浄水の運動エネルギーによって前記旋回部材が旋回する衛生洗浄装置の洗浄ノズルにおいて、
前記ノズルヘッドには、前記旋回部材が旋回する際に発生する騒音及び／又は振動を低減する騒音低減手段が設けられていることを特徴とする衛生洗浄装置の洗浄ノズル。
【請求項２】
請求項１記載の衛生洗浄装置の洗浄ノズルにおいて、前記騒音低減手段は第１の弾性部材を備え、しかも該第１の弾性部材を前記旋回部材が接触する前記旋回室の第１の接触部に設置することを特徴とする衛生洗浄装置の洗浄ノズル。
【請求項３】
請求項２記載の衛生洗浄装置の洗浄ノズルにおいて、前記第１の弾性部材は前記旋回室に固定部材を用いて固定されることを特徴とする衛生洗浄装置の洗浄ノズル。
【請求項４】
請求項３記載の衛生洗浄装置の洗浄ノズルにおいて、前記固定部材は、前記旋回室の内周部に取付け可能な構成となっており、しかも前記固定部材の外側周辺部にはシール部材が設けられ、前記旋回室と前記固定部材との間からの洗浄水の漏水を防止することを特徴とする衛生洗浄装置の洗浄ノズル。
【請求項５】
請求項３及び４のいずれか１項に記載の衛生洗浄装置の洗浄ノズルにおいて、前記旋回室内で前記第１の弾性部材の上方には、前記固定部材の位置決めを行う段差部が設けられ、該段差部に前記固定部材を配置し、この固定部材の上に、弾性体からなり前記旋回部材の他端部を回転自在に支持する回転支持部材を設け、更に該回転支持部材の上に、前記固定部材及び前記回転支持部材を前記旋回室内に押し付けて固定する上蓋が設けられていることを特徴とする衛生洗浄装置の洗浄ノズル。
【請求項６】
請求項３〜５のいずれか１項に記載の衛生洗浄装置の洗浄ノズルにおいて、前記固定部材の形状を上下対称とすることを特徴とする衛生洗浄装置の洗浄ノズル。
【請求項７】
請求項２〜６のいずれか１項に記載の衛生洗浄装置の洗浄ノズルにおいて、前記第１の弾性部材の形状を上下対称とすることを特徴とする衛生洗浄装置の洗浄ノズル。
【請求項８】
請求項２〜７のいずれか１項に記載の衛生洗浄装置の洗浄ノズルにおいて、前記第１の弾性部材は前記旋回室に２重成形で固定されていることを特徴とする衛生洗浄装置の洗浄ノズル。
【請求項９】
請求項１〜８のいずれか１項に記載の衛生洗浄装置の洗浄ノズルにおいて、前記騒音低減手段は第２の弾性部材を備え、しかも該第２の弾性部材を前記旋回室に接触する前記旋回部材の第２の接触部に設置することを特徴とする衛生洗浄装置の洗浄ノズル。
【請求項１０】
請求項９記載の衛生洗浄装置の洗浄ノズルにおいて、前記第２の弾性部材は前記旋回部材の外周部に設けられていることを特徴とする衛生洗浄装置の洗浄ノズル。
【請求項１１】
請求項１〜１０のいずれか１項に記載の衛生洗浄装置の洗浄ノズルにおいて、前記騒音低減手段は第３の弾性部材を備え、前記旋回室と前記旋回部材との間には非弾性材料からなるガイド部が設けられ、該ガイド部と前記旋回室との間に前記第３の弾性部材を設置することを特徴とする衛生洗浄装置の洗浄ノズル。
【請求項１２】
請求項１１記載の衛生洗浄装置の洗浄ノズルにおいて、前記ガイド部と前記旋回室との間に僅少の隙間が設けられていることを特徴とする衛生洗浄装置の洗浄ノズル。
【発明の詳細な説明】
【０００１】
【発明の属する技術分野】
本発明は、便器に設置する衛生洗浄装置に設けられ、人体局部の洗浄を行う衛生洗浄装置の洗浄ノズルに関する。
【０００２】
【従来の技術】
近年、人体局部の洗浄を行うための洗浄ノズルを有する衛生洗浄装置を備えたトイレが普及している。
この洗浄ノズルの先端部には、人体局部に洗浄水を吐出するためのノズルヘッドが設けられている。このノズルヘッドには、円筒状に形成された部屋の周面に沿って洗浄水が供給される旋回室が設けられており、旋回室には、その上部に設けられた開口部から一端部が突出すると共に、他端部が旋回室内を自由に回転可能に設けられ、しかも内部には旋回室に供給された洗浄水を一端部側から吐出可能とする吐水流路が穿設された旋回部材が配置されている。
これにより、旋回室へ供給された洗浄水の運動エネルギーにより生じる揚力及び遠心力によって旋回部材を旋回させると共に、洗浄水を局部の一カ所に集中させて吐出することなく、ある程度の範囲に渡って吐出し洗浄を行っている。このとき旋回部材は、例えば５０〜２００Ｈｚの高速で回転する（例えば、特許文献１参照。）。
【０００３】
【特許文献１】
国際公開第０２／０５５７９５号パンフレット
【０００４】
【発明が解決しようとする課題】
しかしながら、上記した衛生洗浄装置の洗浄ノズルには、以下の問題がある。
旋回部材は高速で回転するため、旋回部材と旋回室とが接触することで、騒音及び／又は振動が発生するため、トイレの使用者が快適にトイレを使用できないという問題があった。
また、高速で回転する旋回部材が旋回室に接触するため、旋回部材や旋回室の耐久性が低下し、洗浄ノズルが損傷する可能性もあった。
本発明はかかる事情に鑑みてなされたもので、旋回部材が旋回する際に発生する騒音及び／又は振動を低減すると共に、耐久性にも優れた衛生洗浄装置の洗浄ノズルを提供することを目的とする。
【０００５】
【課題を解決するための手段】
前記目的に沿う第１の発明に係る衛生洗浄装置の洗浄ノズルは、ノズルヘッドに設けられ、円筒状に形成された部屋の周面に沿って洗浄水が供給される旋回室と、この旋回室の上部に設けられた開口部と、一端部が前記開口部側に配置され、他端部が前記旋回室内の円周方向に回転可能に設けられ、しかも内部には前記旋回室に供給された洗浄水を一端部側から吐出可能とする吐水流路が形成された旋回部材とを備え、前記旋回室へ供給された洗浄水の運動エネルギーによって前記旋回部材が旋回する衛生洗浄装置の洗浄ノズルにおいて、
前記ノズルヘッドには、前記旋回部材が旋回する際に発生する騒音及び／又は振動を低減する騒音低減手段が設けられている。
【０００６】
前記目的に沿う第２の発明に係る衛生洗浄装置の洗浄ノズルは、第１の発明に係る衛生洗浄装置の洗浄ノズルにおいて、前記騒音低減手段は第１の弾性部材を備え、しかも該第１の弾性部材を前記旋回部材が接触する前記旋回室の第１の接触部に設置する。
【０００７】
前記目的に沿う第３の発明に係る衛生洗浄装置の洗浄ノズルは、第２の発明に係る衛生洗浄装置の洗浄ノズルにおいて、前記第１の弾性部材は前記旋回室に固定部材を用いて固定される。
【０００８】
前記目的に沿う第４の発明に係る衛生洗浄装置の洗浄ノズルは、第３の発明に係る衛生洗浄装置の洗浄ノズルにおいて、前記固定部材は、前記旋回室の内周部に取付け可能な構成となっており、しかも前記固定部材の外側周辺部にはシール部材が設けられ、前記旋回室と前記固定部材との間からの洗浄水の漏水を防止する。
【０００９】
前記目的に沿う第５の発明に係る衛生洗浄装置の洗浄ノズルは、第３及び第４の発明に係る衛生洗浄装置の洗浄ノズルにおいて、前記旋回室内で前記第１の弾性部材の上方には、前記固定部材の位置決めを行う段差部が設けられ、該段差部に前記固定部材を配置し、この固定部材の上に、弾性体からなり前記旋回部材の他端部を回転自在に支持する回転支持部材を設け、更に該回転支持部材の上に、前記固定部材及び前記回転支持部材を前記旋回室内に押し付けて固定する上蓋が設けられている。
【００１０】
前記目的に沿う第６の発明に係る衛生洗浄装置の洗浄ノズルは、第３〜第５の発明に係る衛生洗浄装置の洗浄ノズルにおいて、前記固定部材の形状を上下対称とする。
【００１１】
前記目的に沿う第７の発明に係る衛生洗浄装置の洗浄ノズルは、第２〜第６の発明に係る衛生洗浄装置の洗浄ノズルにおいて、前記第１の弾性部材の形状を上下対称とする。
【００１２】
前記目的に沿う第８の発明に係る衛生洗浄装置の洗浄ノズルは、第２〜第７の発明に係る衛生洗浄装置の洗浄ノズルにおいて、前記第１の弾性部材は前記旋回室に２重成形で固定されている。
【００１３】
前記目的に沿う第９の発明に係る衛生洗浄装置の洗浄ノズルは、第１〜第８の発明に係る衛生洗浄装置の洗浄ノズルにおいて、前記騒音低減手段は第２の弾性部材を備え、しかも該第２の弾性部材を前記旋回室に接触する前記旋回部材の第２の接触部に設置する。
【００１４】
前記目的に沿う第１０の発明に係る衛生洗浄装置の洗浄ノズルは、第９の発明に係る衛生洗浄装置の洗浄ノズルにおいて、前記第２の弾性部材は前記旋回部材の外周部に設けられている。
【００１５】
前記目的に沿う第１１の発明に係る衛生洗浄装置の洗浄ノズルは、第１〜第１０の発明に係る衛生洗浄装置の洗浄ノズルにおいて、前記騒音低減手段は第３の弾性部材を備え、前記旋回室と前記旋回部材との間には非弾性材料からなるガイド部が設けられ、該ガイド部と前記旋回室との間に前記第３の弾性部材を設置する。
【００１６】
前記目的に沿う第１２の発明に係る衛生洗浄装置の洗浄ノズルは、第１１の発明に係る衛生洗浄装置の洗浄ノズルにおいて、前記ガイド部と前記旋回室との間に僅少の隙間が設けられている。
【００１７】
【発明の実施の形態】
続いて、添付した図面を参照しつつ、本発明を具体化した実施の形態につき説明し、本発明の理解に供する。
図１〜図３に示すように、本発明の第１の実施の形態に係る衛生洗浄装置の洗浄ノズル（以下、単に洗浄ノズルとも言う）１０は、局部洗浄手段１１に備えられており、便器（図示しない）の後側上部に設けられた機能部に、例えば、洗浄後の局部の乾燥手段、便座の保温手段、トイレ室内の暖房手段、トイレ室内の脱臭手段等の各種機能と共に設けられている。なお、機能部に備えられた各手段は、機能部に設けられたＡＣ制御装置から電力が供給されており、このＡＣ制御装置の動作は、ＤＣ制御装置によって制御されている。この機能部は、電源コードが接続された漏電保護プラグを、トイレ室内に設けられたコンセントに差し込むことで、動作可能な状態になる。以下、詳しく説明する。
【００１８】
図３に示すように、局部洗浄手段１１には、上流側から下流側へかけて、フィルタ１２、逆止弁１３、調圧弁１４、電磁弁１５、逃がし弁１６、熱交換器１７、流量調整弁１８、及び洗浄ノズル１０が、順次設けられている。このフィルタ１２は、水の流れに順じて、上流側から洗浄水中のゴミやスケールを除去するものであり、逆止弁１３は洗浄水が上流の１次側に逆流しないようにするものである。また、調圧弁１４は１次側の水圧を予め設定された所定の水圧（洗浄ノズル１０での吐水流量を、例えば２００〜５００ｍＬ／ｍｉｎ）に調整するものであり、電磁弁１５は洗浄水の通水と止水を制御するためのものである。そして、逃がし弁１６は調圧弁１４が作動しないときに設定以上の水圧が下流側にかからないようにするものであり、熱交換器１７は洗浄水を加熱して温水にする貯湯式もしくは瞬間式のものである。更に、流量調整弁１８は洗浄水量を予め設定された水量に調節するものであり、洗浄ノズル１０は洗浄水を人体局部に向かって噴出させるものである。なお、洗浄ノズル１０には、局部の洗浄時に、洗浄ノズル１０を便器の前側の所定位置まで進出させるタイミングベルトを用いたノズル駆動モータ１９が設けられている。
【００１９】
このように構成することで、洗浄水を噴射吐水する場合、使用者が操作手段（例えばリモコン等）２０を操作して洗浄開始の信号が制御回路２１に送られると、洗浄ノズル１０がノズル駆動モータ１９によって所定の洗浄位置まで進出させられた状態で、電磁弁１５が開いて洗浄水が通水状態となり、下流側に設けられた洗浄ノズル１０より人体局部に向かって洗浄水を噴出して洗浄が行われる。
この洗浄ノズル１０は、洗浄ノズル本体２２と、ノズルヘッド２３とを有しており、洗浄ノズル本体２２の先端部の周辺部に複数箇所（この実施の形態では３箇所）設けられた凹部２４に、ノズルヘッド２３の基部側後方に設けられた係合部２５を取付け、超音波溶着によって洗浄ノズル本体２２とノズルヘッド２３とを一体的に結合したものである。なお、洗浄ノズル１０には、撥水性のフィルムがコーティングされている。
【００２０】
なお、この洗浄ノズル１０の材料としては、例えば、ＡＢＳ（アクリロニトリルブタジエン  スチレン）、ＰＰ（ポリプロピレン）、ＰＢＴ（ポリブチレンテレフタレート）等の汎用熱可塑性樹脂が用いられることが多いが、要求品質等によっては、その他の樹脂も用いられる。
【００２１】
図１、図２に示すように、この洗浄ノズル１０の長手方向には、おしり洗浄用流路２６、やわらか洗浄用流路２７、及びビデ洗浄用流路２８の３つの流路が、正断面視して略均等な角度（例えば１２０度）で設けられている。この洗浄ノズル１０の基側には図示しない流路切り換え機構（切り換え弁）が設けられ、洗浄ノズル１０の上流側からホース（図示しない）を介して洗浄水流入口２９へ流れ込む洗浄水を、流路切り換え機構によっていずれかの流路に供給可能となっている。
【００２２】
図１、図４〜図１０に示すように、ノズルヘッド２３は、ノズルヘッド本体３０と、このノズルヘッド本体３０の上部及び下部にそれぞれ設けられる上蓋３１及び下蓋３２とを有している。
図５、図６（Ａ）に示すように、ノズルヘッド本体３０の上面は、先側へかけて下方へ傾斜しており、その上部には、複数本（本実施の形態では５本）の熱かしめ用突起部３３が設けられている。また、図４、図８（Ａ）、（Ｂ）に示すように、上蓋３１には、熱かしめ用突起部３３を挿通可能な貫通孔３４が設けられている。
なお、上蓋３１の先部には、その周辺部に沿い、下方に向かって突出する縁部３５が設けられ、この縁部３５はノズルヘッド本体３０の上側先部に設けられた係合部３６を外側から覆うことができる。また、上蓋３１の基側端部には、下方に向かって突出する嵌入部３７が設けられ、この嵌入部３７がノズルヘッド本体３０に設けられた係合穴３８に嵌入する。
【００２３】
これにより、ノズルヘッド本体３０の上方に上蓋３１を配置した後は、ノズルヘッド本体３０に対する上蓋３１の横移動が防止され、更に貫通孔３４から突出した熱かしめ用突起部３３の突出部分に熱を加えて変形させ、その直径を貫通孔３４の内径より大きくすることで、ノズルヘッド本体３０と上蓋３１とを一体化できる。
【００２４】
また、図４、図５、図６（Ｂ）に示すように、おしり洗浄用流路２６、やわらか洗浄用流路２７、及びビデ洗浄用流路２８の各流路を形成する壁部３９の下端部には、一連となった断面溝型の凹部４０が設けられ、また図４、図９、図１０（Ｂ）に示すように、下蓋３２には、上方へ向かって幅狭となり、この凹部４０内に配置される超音波溶着用リブ４１が設けられている。これにより、ノズルヘッド本体３０の下方に下蓋３２を配置した後、超音波溶着を行うことで、ノズルヘッド本体３０と下蓋３２とを一体化すると共に、おしり洗浄用流路２６、やわらか洗浄用流路２７、及びビデ洗浄用流路２８をそれぞれ区分できる。
【００２５】
図４〜図１０に示すように、ノズルヘッド２３の基部から先部にかけては、おしり洗浄用流路２６、やわらか洗浄用流路２７、及びビデ洗浄用流路２８の各下流側端部にそれぞれ連通し、しかも洗浄水が流れ込む、おしり洗浄用旋回室（旋回室の一例）４２、やわらか洗浄用旋回室４３、及びビデ洗浄用旋回室４４が順次設けられている。
このおしり洗浄用旋回室４２内には、円筒状に形成された部屋４５が設けられ、この部屋４５の側壁に対して、おしり洗浄用流路２６の先部が一方側に湾曲した状態で連通しており、しかも部屋４５の軸心が、水平状態に配置したノズルヘッド２３の垂直方向に対して角度α（例えば１０〜１５度）傾斜している。このおしり洗浄用旋回室４２の底部は下蓋３２に、またおしり洗浄用吐水孔（開口部の一例）４６がおしり洗浄用旋回室４２の上部、即ち上蓋３１にそれぞれ設けられている。なお、おしり洗浄用吐水孔４６の軸心は、部屋４５の軸心と同一位置にある。
【００２６】
図４に示すように、おしり洗浄用旋回室４２内には、ステンレス製で棒状となった揺動体（旋回部材の一例）４７が配置されている。
図１１（Ａ）、（Ｂ）に示すように、この揺動体４７には、その上側部に、洗浄水の流入口４８が均等な角度で複数箇所（本実施の形態では４箇所）設けられ、また上端部側（一端部側）に、揺動体４７と軸心を同じにし、洗浄水を吐出可能な断面円形の吐出口４９が設けられている。このように、揺動体４７の内部には、流入口４８から吐出口４９へかけて吐水流路５０が形成されているため、おしり洗浄用旋回室４２に供給された洗浄水を、揺動体４７を介しておしり洗浄用吐水孔４６から吐出可能な構成になっている。
【００２７】
図４に示すように、このおしり洗浄用旋回室４２の高さ方向中央部の内側壁部（第１の接触部の一例）５１には、騒音低減手段の構成要素の一例であるゴム製の弾性部材（第１の弾性部材）５２が設置されている。
図１２（Ａ）、（Ｂ）に示すように、弾性部材５２の外側周辺部には、４個の突出部５３が略等角度で設けられており、また図６（Ａ）に示すように、おしり洗浄用旋回室４２には、おしり洗浄用旋回室４２内に設けられた段差部５４の下方に形成され、突出部５３を嵌入可能な凹部５５が設けられている。なお、凹部５５の深さは突出部５３の厚みと略同等になっている。これにより、おしり洗浄用旋回室４２に弾性部材５２を回転不能に固定することが可能になる。
ここで、弾性部材とおしり洗浄用旋回室の双方に、双方の係合が可能となる例えば、アンダーカット形状や位置決め形状等を形成し、２重成形で固定することも可能である。この弾性部材は弾力性を備えているため、寸法精度を十分に高めることなくおしり洗浄用旋回室に容易に固定できるので、弾性部材の形状設計の自由度を高められ、設計作業が容易になる。また、組み立てにあっては、１工程（成形工程）だけで組み立てることが可能となり、作業性が良好になる。
【００２８】
また、図１２（Ａ）、（Ｂ）に示すように、弾性部材５２には、おしり洗浄用旋回室４２と軸心を同じとし、揺動体４７の直径より大きな内径（例えば揺動体の直径の１．１〜１．５倍）を備えた貫通孔５６が設けられており、この貫通孔５６に揺動体４７が挿通されるようになっている。なお、弾性部材５２の形状は上下対称となっているので、弾性部材５２の上下を考慮することなくおしり洗浄用旋回室４２内に設置でき、作業効率を高めることができる。
【００２９】
図４、図１３（Ａ）、（Ｂ）に示すように、おしり洗浄用旋回室４２内で弾性部材５２の上方に設けられた段差部５４には、おしり洗浄用旋回室４２の内周部に取付け可能なスペーサ（固定部材の一例）５７が配置され、段差部５４によってスペーサ５７の位置決めが行われている。このスペーサ５７は略円筒状で、その高さ方向に設けられた貫通孔５８の内径が弾性部材５２の貫通孔５６の内径と略同等となっており、またスペーサ５７の外側周辺部には溝部５９が設けられ、この溝部５９にＯリング（シール部材の一例）６０が取付けられている。
また、スペーサ５７の上端部には、その外周部の一部に切欠き６１が設けられ、また貫通孔５８の周囲に沿って上方へ突出した係合部６２が設けられている。
【００３０】
このように、スペーサ５７の外周部の一部には切欠き６１を設けて上下を見分け易くしているので、スペーサ５７の上下を取り違えることなく、おしり洗浄用旋回室４２内にスペーサ５７を設置できる。また、スペーサの形状を上下対称とすることも可能であり、この場合は、スペーサの上下を考慮することなくおしり洗浄用旋回室４２内に設置でき、作業効率を高めることができる。
これにより、弾性部材５２をおしり洗浄用旋回室４２にスペーサ５７を用いて固定できると共に、おしり洗浄用旋回室４２とスペーサ５７との間からの漏水も防止できる。ここで、おしり洗浄用旋回室４２及びスペーサ５７のいずれか一方又は双方で、弾性部材５２と接触する部分に、例えば多数の突起部を設け、弾性部材５２の回り止めを防止することも可能である。
【００３１】
図４、図１４に示すように、このスペーサ５７の上には、その形状が円盤状で、弾性体からなるゴム製のダイヤフラム（回転支持部材の一例）６３が設けられている。
このダイヤフラム６３の円周方向の周辺部には、上下方向に突出した当接部６４が設けられており、この当接部６４の下端部内側が、スペーサ５７の係合部６２に外側から係止可能になっている。またダイヤフラム６３の中央部には、おしり洗浄用旋回室４２と軸心を同じにし、しかも揺動体４７の上端部の外径より僅かに小さい固定孔６５が設けられている。なお、揺動体４７の上端部の外径は、揺動体４７の他の部分の外径より小さくなっているので、揺動体４７の先端部を固定孔６５に取付けた後は、固定孔６５の部分が揺動体４７の外周部を外側から締め付けると共に、揺動体４７が固定孔６５の上方へ移動することを防止できる。
【００３２】
このように、揺動体４７の上端部（一端部）をおしり洗浄用吐水孔４６側に配置することで、揺動体４７の下端部（他端部）をおしり洗浄用旋回室４２内の円周方向に回転自在に支持できる。
また、このダイヤフラム６３の上には上蓋３１が配置されており、しかも上蓋３１がスペーサ５７及びダイヤフラム６３をおしり洗浄用旋回室４２内に押し付け固定している。
【００３３】
図４、図９に示すように、やわらか洗浄用旋回室４３は略円筒状になっており、やわらか洗浄用旋回室４３の側壁に対して、やわらか洗浄用流路２７の先部が一方側に湾曲した状態で連通しており、やわらか洗浄用旋回室４３の底部が下蓋３２に、またやわらか洗浄用吐水孔６６がやわらか洗浄用旋回室４３の上部にそれぞれ設けられている。このやわらか洗浄用吐水孔６６は、その軸心が、水平状態となったノズルヘッド２３の垂直方向に対して角度β（例えば１０〜１５度）傾斜して配置されている。また、上蓋３１には、その軸心がやわらか洗浄用吐水孔６６と実質的に同じで、しかもその内径がやわらか洗浄用吐水孔６６より大きな噴出口６７が設けられている。
【００３４】
このように、噴出口６７の内径は、やわらか洗浄用吐水孔６６の内径より大きいため、ノズルヘッド本体３０と上蓋３１との間に、例えばＯリングを配置しなくても、やわらか洗浄用吐水孔６６から吐出した洗浄水を噴出口６７から局部に向かって吐出できる。
また、図４、図９、図１０（Ａ）、（Ｂ）に示すように、やわらか洗浄用旋回室４３の中央部に位置する下蓋３２には、ノズルヘッド２３の長手方向に設けられ、やわらか洗浄用旋回室４３に流入した洗浄水の流速を減速する邪魔板６８、及びこの邪魔板６８の長手方向中央部に突出状態で設けられ、その先端部が先側へかけて縮径して、やわらか洗浄用旋回室４３で洗浄水に付与される旋回力を調整する旋回量調整部６９とが設けられている。
【００３５】
図４、図９に示すように、ビデ洗浄用旋回室４４は略円筒状になっており、ビデ洗浄用旋回室４４の側壁に対して、ビデ洗浄用流路２８の先部が他方側に湾曲した状態で連通しており、ビデ洗浄用旋回室４４の底部が下蓋３２に、またビデ洗浄用吐水孔７０がビデ洗浄用旋回室４４の上部にそれぞれ設けられている。なお、ビデ洗浄用吐水孔７０は、その軸心が、水平状態となったノズルヘッド２３の垂直方向に対して角度γ（例えば０度又は０度を超え１０度以下）傾斜して配置されている。なお、上蓋３１には、その軸心がビデ洗浄用吐水孔７０と実質的に同じで、しかもその内径がビデ洗浄用吐水孔７０より大きな噴出口７１が設けられている。
【００３６】
このように、噴出口７１の内径は、ビデ洗浄用吐水孔７０の内径より大きいため、ノズルヘッド本体３０と上蓋３１との間に、例えばＯリングを配置しなくても、ビデ洗浄用吐水孔７０から吐出した洗浄水を噴出口７１から局部に向かって吐出できる。
また、図９、図１０（Ｂ）に示すように、ビデ洗浄用旋回室４４の中央部に位置する下蓋３２には、ノズルヘッド２３の幅方向に設けられ、ビデ洗浄用旋回室４４に流入した洗浄水の流速を減速する邪魔板７２が設けられている。
なお、下蓋３２の基端部には、ノズルヘッド本体３０と上蓋３１との位置決めのためのボス７３が設けられている。
【００３７】
このように構成することで、トイレの使用者が操作手段２０により、おしり洗浄を指示した場合、洗浄ノズル１０が便器の前側に進出した後、電磁弁１５を介して洗浄水がおしり洗浄用流路２６に流れ込み、更におしり洗浄用旋回室４２に流入する。ここで、洗浄水はおしり洗浄用旋回室４２の部屋４５の周面に沿って供給され、おしり洗浄用旋回室４２へ供給された洗浄水の運動エネルギーから受ける力と、この運動エネルギーにより生じる揚力及び遠心力によって揺動体４７の他端部がおしり洗浄用旋回室４２の円周方向に高速（例えば、５０〜２００Ｈｚ）で旋回する。このとき、おしり洗浄用旋回室４２に供給された洗浄水の水圧により、揺動体４７は僅かに上昇し、ダイヤフラム６３の弾性力と釣り合ったところが支点となる。このため、揺動体４７の回転領域は、この支点と、揺動体４７の側部が接触する弾性部材５２の内径によって決定される。
【００３８】
これにより、揺動体４７は、おしり洗浄用旋回室４２の軸心に対して傾斜した状態で公転運動することが可能になる。従って、揺動体４７が、おしり洗浄用旋回室４２の軸心回りで公転運動を行いながら、洗浄水を噴射吐水するので、吐水された洗浄水の軌跡は、螺旋を描きながら円錐状に拡大し、局部に吐水される。
このように、揺動体４７が接触するおしり洗浄用旋回室４２の内側壁部５１に弾性部材５２を設置するので、発生する騒音及び／又は振動を弾性部材５２によって吸収でき、その発生を発生源で低減できる。
なお、おしり洗浄用旋回室４２、やわらか洗浄用旋回室４３、及びビデ洗浄用旋回室４４の各傾斜角度α、β、γは、例えば、機能部から突出する洗浄ノズル１０の傾斜角度、及び突出長さ等を考慮して設定する。
【００３９】
また、トイレの使用者が操作手段２０により、やわらか洗浄を指示した場合、洗浄ノズル１０が便器の前側に進出した後、電磁弁１５を介して洗浄水がやわらか洗浄用流路２７に流れ込み、更にやわらか洗浄用旋回室４３に流入する。ここで、洗浄水はやわらか洗浄用旋回室４３の周面に沿って供給されるので、やわらか洗浄用旋回室４３へ供給された洗浄水の運動エネルギーによって洗浄水が旋回すると共に、邪魔板６８によって流速が弱められ、旋回量調整部６９によって旋回力が調節された後、この洗浄水がやわらか洗浄用吐水孔６６から吐出して、やわらか洗浄を行うことができる。なお、ビデ洗浄もやわらか洗浄と略同様である。
【００４０】
続いて、洗浄ノズル１０の組み立て方法について説明する。
まず、ノズルヘッド本体３０に下蓋３２を取付けて超音波溶着を行い、ノズルヘッド本体３０と下蓋３２との隙間を塞ぐ。
次に、図１５（Ａ）に示すように、おしり洗浄用旋回室４２内に形成された凹部５５に、弾性部材５２の突出部５３を嵌め込んだ後、図１５（Ｂ）に示すように、予め外側周辺部にＯリング６０を取付けたスペーサ５７を段差部５４に設置する。
図１５（Ｃ）に示すように、予め揺動体４７の上端部が固定孔６５に嵌め込まれたダイヤフラム６３を、スペーサ５７の上に配置し、ノルヘッド本体３０の上に上蓋３１を配置する。なお、揺動体４７は、弾性部材５２及びスペーサ５７の各貫通孔５６、５８に挿通されている。このとき、ダイヤフラム６３の周辺部が所定量つぶれるように上蓋３１を押し付けた状態を維持して、熱かしめ用突起部３３を加熱し上蓋３１をノズルヘッド本体３０に取付ける。
【００４１】
ここで、ダイヤフラム６３の当接部６４のつぶし量が不足した場合、おしり洗浄用旋回室４２に流入した洗浄水が、スペーサ５７とダイヤフラム６３との間から漏れ出し、おしり洗浄用吐水孔４６から吐出する洗浄水量を適切に設定できない。
また、ダイヤフラム６３の当接部６４のつぶし量が大きくなった場合、弾性体からなるダイヤフラム６３の反力により、ノズルヘッド本体３０に対して上蓋３１が押し上げられ、熱かしめ用突起部３３の基部が破損し、ノズルヘッド本体３０から上蓋３１が取れてしまう恐れがある。
【００４２】
これらの不具合を防止するためには、ダイヤフラム６３の当接部６４のつぶし量を、ダイヤフラム６３の材質や厚み等考慮して、所定の範囲内、例えば０．１〜１ｍｍ程度に設定する必要がある。そのために、図６（Ａ）に示すように、ノズルヘッド本体３０の前部及び基側の３つの熱かしめ用突起部３３がそれぞれ設けられた各平面部１１１〜１１３と、図８（Ｂ）に示すように、上蓋３１の前部及び基側の３つの貫通孔３４がそれぞれ設けられた各平面部１１４〜１１６との３箇所で、各々が接したときに前記した所定の範囲内になるよう力を加えている。これにより、ノズルヘッド本体３０へ上蓋３１を取付けた場合の形状精度を高めることができると共に、かしめ時における加圧力にも耐え、ノズルヘッド本体３０と上蓋３１との位置調整（例えば０．１〜１ｍｍの微妙な寸法精度での位置調整）を確実に行うことができる。
またこのとき、スペーサ５７がおしり洗浄用旋回室４２内の段差部５４に配置されているので、弾性部材５２のつぶれを考慮する必要性がなく、ダイヤフラム６３の当接部６４のつぶし量の管理が容易になる。
そして、このノズルヘッド２３を、洗浄ノズル本体２２の前方に取付け、超音波熱溶着を行って一体化する。
【００４３】
次に、本発明の第２の実施の形態に係る衛生洗浄装置の洗浄ノズル（以下、単に洗浄ノズルとも言う）について説明するが、この洗浄ノズルは、前記した本発明の第１の実施の形態に係る衛生洗浄装置の洗浄ノズル１０のおしり洗浄用旋回室４２及び揺動体４７の構成のみが異なるため、他の部材には同一の番号を付し、詳しい説明を省略する。
図１６（Ａ）、（Ｂ）に示すように、洗浄ノズルの先部に設けられたノズルヘッド２３には、前記したおしり洗浄用旋回室４２と略同様の機能を備えたおしり洗浄用旋回室（旋回室の一例）が設けられ、このおしり洗浄用旋回室内に揺動体（旋回部材の一例）７５が配置されている。なお、おしり洗浄用旋回室には、弾性部材５２を配置してもよく、また配置しなくてもよい。
【００４４】
この洗浄ノズルで使用する揺動体７５には、その旋回時におしり洗浄用旋回室に衝突する接触部分（第２の接触部の一例）７６、即ち揺動体７５の高さ方向中央部の外周部に、他の部分より縮径した溝部７７が設けられ、この溝部７７に騒音低減手段の構成要素の一例であるゴム製の弾性部材（第２の弾性部材）７８が設置されている。
このように、おしり洗浄用旋回室の内側壁部に衝突する揺動体７５の接触部分７６に、弾性部材７８を設置するので、発生する騒音及び／又は振動を弾性部材７８によって吸収でき、その発生源で低減できる。
【００４５】
本発明の第３の実施の形態に係る衛生洗浄装置の洗浄ノズル（以下、単に洗浄ノズルとも言う）について説明するが、この洗浄ノズルは、前記した本発明の第１の実施の形態に係る衛生洗浄装置の洗浄ノズル１０のおしり洗浄用旋回室４２の構成のみが異なるため、他の部材には同一の番号を付し、詳しい説明を省略する。
図１７に示すように、洗浄ノズルの先部に設けられたノズルヘッド８０には、前記したおしり洗浄用旋回室４２と略同様の機能を備えたおしり洗浄用旋回室（旋回室の一例）８１が設けられ、このおしり洗浄用旋回室８１内に前記した揺動体４７が配置されている。
【００４６】
このおしり洗浄用旋回室８１の高さ方向中央部から上方へかけては、拡径部８２が設けられ、この拡径部８２に前記したノズルヘッド１０と同一の素材で構成された非弾性材料からなるガイド部８３が設けられている。このガイド部８３の外径は、拡径部８２の内径より小さく、その外周部には、騒音低減手段の構成要素の一例であり環状となったゴム製の弾性部材（第３の弾性部材）８４、８５を配置可能な係止部８６、８７が、高さ方向に２箇所それぞれ設けられている。
ここで、各係止部８６、８７にそれぞれ配置された弾性部材８４、８５の外周部は、ガイド部８３の外面から外側へ突出した状態となっているので、ガイド部８３を拡径部８２に配置した場合、ガイド部８３とおしり洗浄用旋回室８１との間に僅少の隙間（例えば０．１〜１ｍｍ）が形成される。
また、ガイド部８３の軸心方向中央部には貫通孔８８が設けられ、しかもこの貫通孔８８の内径は揺動体４７の外径よりも大きくなっている。
【００４７】
このように、おしり洗浄用旋回室８１と揺動体４７との間にはガイド部８３が設けられ、しかもガイド部８３とおしり洗浄用旋回室８１との間に弾性部材８４、８５がそれぞれ設置されているので、揺動体４７の旋回時において、揺動体４７がガイド部８３の内側に接触しても、その騒音及び／又は振動を各弾性部材８４、８５によって吸収し低減できる。なお、ガイド部８３とおしり洗浄用旋回室８１との間には隙間が設けられているので、揺動体４７の旋回時において、揺動体４７がガイド部８３の内側に接触しても、ガイド部８３が拡径部８２に接触することを防止でき、その騒音及び／又は振動を更に低減できる。
【００４８】
本発明の第４の実施の形態に係る衛生洗浄装置の洗浄ノズル（以下、単に洗浄ノズルとも言う）について説明するが、この洗浄ノズルは、前記した本発明の第３の実施の形態に係る衛生洗浄装置の洗浄ノズルのおしり洗浄用旋回室の構成のみが異なるため、他の部材には同一の番号を付し、詳しい説明を省略する。
図１８に示すように、洗浄ノズルの先部に設けられたノズルヘッド９０には、前記したおしり洗浄用旋回室４２と略同様の機能を備えたおしり洗浄用旋回室（旋回室の一例）９１が設けられ、このおしり洗浄用旋回室９１内に前記した揺動体４７が配置されている。
【００４９】
このおしり洗浄用旋回室９１の高さ方向中央部から上方へかけては、拡径部９２が設けられ、この拡径部９２に前記したノズルヘッド１０と同一の素材で構成された非弾性材料からなるガイド部９３が設けられている。このガイド部９３は、拡径部９２と僅少の隙間（例えば０．１〜１ｍｍ）を有して配置可能な大きさとなっており、その上部を除く外周部には、騒音低減手段の構成要素の一例であり環状となったゴム製の弾性部材（第３の弾性部材）９４を配置可能な係止部９５が設けられている。ここで、係止部９５に配置された弾性部材９４の外周部は、ガイド部９３の外面より僅かに外側へ突出した状態となっている。
また、ガイド部９３の軸心方向中央部には貫通孔９６が設けられ、しかもこの貫通孔９６の内径は揺動体４７の外径よりも大きくなっている。
【００５０】
このように、おしり洗浄用旋回室９１と揺動体４７との間にはガイド部９３が設けられ、しかもガイド部９３とおしり洗浄用旋回室９１との間に弾性部材９４が設置されているので、揺動体４７の旋回時において、揺動体４７がガイド部９３の内側に接触しても、その騒音及び／又は振動を弾性部材９４によって吸収し低減できる。なお、ガイド部９３とおしり洗浄用旋回室９１との間には隙間が設けられているので、揺動体４７の旋回時において、揺動体４７がガイド部９３の内側に接触しても、ガイド部９３が拡径部９２に接触することを防止でき、その騒音及び／又は振動を更に低減できる。
【００５１】
本発明の第５の実施の形態に係る衛生洗浄装置の洗浄ノズル（以下、単に洗浄ノズルとも言う）について説明する。
図１９に示すように、ノズルヘッド１００は、ノズルヘッド本体１０１と、このノズルヘッド本体１０１の上部に設けられる上蓋１０２とを有している。このノズルヘッド１００の基部から先部にかけては、前記したおしり洗浄用旋回室４２及びビデ洗浄用旋回室４４と略同様の機能を備えたおしり洗浄用旋回室（旋回室の一例）１０３及びビデ洗浄用旋回室１０４が順次設けられている。このおしり洗浄用旋回室１０３のおしり洗浄用吐水孔（開口部の一例）１０５は、おしり洗浄用旋回室１０３の上部、即ち上蓋１０２に設けられ、またビデ洗浄用旋回室１０４のビデ洗浄用吐水孔１０６も上蓋１０２に設けられている。このおしり洗浄用吐水孔１０５及びビデ洗浄用吐水孔１０６の最小内径は、おしり洗浄用旋回室１０３及びビデ洗浄用旋回室１０４の内径よりもそれぞれ小さくなっている。
【００５２】
おしり洗浄用旋回室１０３及びビデ洗浄用旋回室１０４にそれぞれ配置される揺動体（旋回部材の一例）１０７、１０８は、前記した揺動体４２と略同様の機能を備えており、その先端部が他の部分より縮径した形状となっている。
これにより、各揺動体１０７、１０８の先端部のみが、おしり洗浄用吐水孔１０５及びビデ洗浄用吐水孔１０６からそれぞれ突出した状態で配置され、各揺動体１０７、１０８の旋回時における支点が設定される。また、揺動体１０７、１０８の側部は、おしり洗浄用旋回室１０３及びビデ洗浄用旋回室１０４の高さ方向中央部の内側壁部１０９、１１０にそれぞれ接触する。
ここで、各内側壁部１０９、１１０と揺動体１０７、１０８とが接触する部分、即ち、各内側壁部１０９、１１０に、例えば前記した弾性部材５２を配置したり、各揺動体１０７、１０８に弾性部材７８を配置したりする。
これにより、各揺動体１０７、１０８の旋回時における騒音及び／又は振動を、その発生源で低減できる。
【００５３】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の衛生洗浄装置の洗浄ノズルを構成する場合も本発明の権利範囲に含まれる。
また、前記第１〜第４の実施の形態においては、おしり洗浄、やわらか洗浄、及びビデ洗浄を行うことが可能な洗浄ノズルについて説明したが、少なくともおしり洗浄を行うことが可能な洗浄ノズルに使用することも可能である。
【００５４】
そして、前記第１〜第５の実施の形態においては、騒音低減手段として弾性部材を使用し、騒音及び／又は振動を低減した場合について説明した。しかし、騒音低減手段として例えばテフロン（登録商標）等を使用し、揺動体が接触するおしり洗浄用旋回室の接触部、及びおしり洗浄用旋回室に接触する揺動体の接触部のいずれか一方又は双方に、テフロン（登録商標）加工を施してその表面を平滑にしたり、また各接触部にテフロン（登録商標）を設けてその接触部を平滑にしたりして、騒音及び／又は振動を低減することも可能である。
【００５５】
【発明の効果】
請求項１〜１２記載の衛生洗浄装置の洗浄ノズルにおいては、ノズルヘッドに、旋回部材が旋回する際に発生する騒音及び／又は振動を低減する騒音低減手段が設けられているので、その低減を容易に行うことができ、トイレの使用者は局部の洗浄を快適に行うことができる。
特に、請求項２記載の衛生洗浄装置の洗浄ノズルにおいては、第１の弾性部材を旋回部材が接触する旋回室の第１の接触部に設置するので、騒音及び／又は振動の発生を発生源で低減でき、より高い騒音低減効果を得ることができる。また、旋回室と旋回部材との間に第１の弾性部材を設置するので、旋回部材が高速で回転した場合においても、旋回部材の衝撃が第１の弾性部材によって低減され、旋回室の耐久性を向上させることができる。
【００５６】
請求項３記載の衛生洗浄装置の洗浄ノズルにおいては、旋回室への第１の弾性部材の固定に固定部材を用いるので、第１の弾性部材を旋回室に確実に固定でき、安定した品質を備える洗浄ノズルを提供できる。
請求項４記載の衛生洗浄装置の洗浄ノズルにおいては、外側周辺部にシール部材が設けられた固定部材を、旋回室の内周部に取付けるので、旋回室と固定部材との間に生じる隙間から洗浄水が漏水する恐れを低減でき、旋回室へ供給される洗浄水の流量を安定にできる。これにより、旋回室内での旋回部材の回転数にばらつきを生じさせることなく安定に行うことができると共に、旋回部材の一端部から吐出する洗浄水の流量も安定にできるので、トイレの使用者はより快適に局部の洗浄を行うことができる。
【００５７】
請求項５記載の衛生洗浄装置の洗浄ノズルにおいては、旋回室内で第１の弾性部材の上方には、固定部材の位置決めを行う段差部が設けられているので、段差部に配置される固定部材を上蓋によって旋回室内に押し付けた場合でも、第１の弾性部材をつぶすことなく、旋回室内に固定できる。また、固定部材の上には、弾性体からなり旋回部材の他端部を回転自在に支持する回転支持部材が設けられ、固定部材と回転支持部材を上蓋によって旋回室内に押し付けるので、固定部材と回転支持部材との間、及び回転支持部材と上蓋との間に生じる隙間を無くし、漏水を防止できる。これにより、上蓋取付け時において、回転支持部材のつぶし量のみを管理すればよいので、第１の弾性部材及び回転支持部材の両方のつぶし量の管理を行う必要性がなくなり、回転支持部材を目的とする量だけ確実につぶすことができる。従って、回転支持部材のつぶし過ぎによって生じる上蓋への反力を小さくできるので、ノズルヘッドの破損を防止できると共に、回転支持部材のつぶしが足らないことで生じる洗浄水の漏水を防止できる。
【００５８】
請求項６記載の衛生洗浄装置の洗浄ノズルにおいては、固定部材の形状を上下対称にするので、固定部材の上下を考慮することなく、固定部材を旋回室に取付けることができ、洗浄ノズルの組み立て時における作業性が良好になる。
請求項７記載の衛生洗浄装置の洗浄ノズルにおいては、第１の弾性部材の形状を上下対称にするので、第１の弾性部材の上下を考慮することなく、第１の弾性部材を旋回室に取付けることができ、洗浄ノズルの組み立て時における作業性が良好になる。
請求項８記載の衛生洗浄装置の洗浄ノズルにおいては、第１の弾性部材が旋回室に２重成形で固定されているので、固定のために別部材を使用したり、組み付けの手間が不要になる。また、例えば、第１の弾性部材に対して旋回中の旋回部材が接触しても、旋回室内での第１の弾性部材の回転を防止でき、旋回部材の回転動作を安定に行うことができる。これにより、トイレの使用者はより快適に局部の洗浄を行うことができる。
【００５９】
請求項９記載の衛生洗浄装置の洗浄ノズルにおいては、第２の弾性部材を旋回室に接触する旋回部材の第２の接触部に設置するので、その発生を発生源で低減でき、より高い騒音低減効果を得ることができる。また、旋回室と旋回部材との間に第２の弾性部材を設置するので、旋回部材が高速で回転した場合においても、旋回部材の衝撃が第２の弾性部材によって低減され、旋回室の耐久性を向上させることができる。
請求項１０記載の衛生洗浄装置の洗浄ノズルにおいては、第２の弾性部材は旋回部材の外周部に設けられているので、洗浄ノズルの組み立て時において、例えば旋回部材の外周部に第２の弾性部材を取付けた後、これを旋回室に配置でき、作業性が良好である。また、第２の弾性部材が摩耗したときには、旋回部材だけを旋回室から取り出し、第２の弾性部材のみを交換できるので、メンテナンスが容易である。
【００６０】
請求項１１記載の衛生洗浄装置の洗浄ノズルにおいては、旋回室と旋回部材との間に非弾性材料からなるガイド部を設け、このガイド部と旋回室との間に第３の弾性部材を設置するので、洗浄ノズルの使用によって、旋回部材が旋回する際に発生する騒音及び／又は振動を第３の弾性部材によって吸収し低減でき、より高い騒音低減効果を得ることができる。
請求項１２記載の衛生洗浄装置の洗浄ノズルにおいては、ガイド部と旋回室との間に僅少の隙間が設けられているので、旋回部材が旋回しガイド部に接触しても、旋回室へのガイド部の接触が防止され、旋回室とガイド部との接触による騒音及び／又は振動の発生を防止できる。これにより、更に高い騒音低減効果を得ることができる。
【図面の簡単な説明】
【図１】本発明の第１の実施の形態に係る衛生洗浄装置の洗浄ノズルの側断面図である。
【図２】同洗浄ノズルの説明図である。
【図３】同洗浄ノズルを使用した局部洗浄手段の説明図である。
【図４】同洗浄ノズルに設けられたノズルヘッドの側断面図である。
【図５】同ノズルヘッドに設けられたノズルヘッド本体の側断面図である。
【図６】（Ａ）、（Ｂ）はそれぞれ同ノズルヘッドに設けられたノズルヘッド本体の平面図、底面図である。
【図７】同ノズルヘッドに設けられたノズルヘッド本体の背面図である。
【図８】（Ａ）、（Ｂ）はそれぞれ同ノズルヘッドに設けられた上蓋の平面図、底面図である。
【図９】同ノズルヘッドに設けられた下蓋の平面図である。
【図１０】（Ａ）、（Ｂ）はそれぞれ図９のａ−ａ矢視部分断面図、ｂ−ｂ矢視断面図である。
【図１１】（Ａ）は本発明の第１の実施の形態に係る衛生洗浄装置の洗浄ノズルに使用した揺動体の正面図、（Ｂ）は（Ａ）のｃ−ｃ矢視断面図である。
【図１２】（Ａ）、（Ｂ）はそれぞれ同洗浄ノズルに使用した弾性部材の平面図、側断面図である。
【図１３】（Ａ）、（Ｂ）はそれぞれ同洗浄ノズルに使用したスペーサの平面図、側断面図である。
【図１４】同洗浄ノズルに使用したダイヤフラムの側断面図である。
【図１５】（Ａ）〜（Ｃ）はそれぞれ同洗浄ノズルのノズルヘッドの組み立て方法の説明図である。
【図１６】（Ａ）は本発明の第２の実施の形態に係る衛生洗浄装置の洗浄ノズルに使用した揺動体の正面図、（Ｂ）は（Ａ）のｄ−ｄ矢視断面図である。
【図１７】本発明の第３の実施の形態に係る衛生洗浄装置の洗浄ノズルに設けられたノズルヘッドの側断面図である。
【図１８】本発明の第４の実施の形態に係る衛生洗浄装置の洗浄ノズルに設けられたノズルヘッドの側断面図である。
【図１９】本発明の第５の実施の形態に係る衛生洗浄装置の洗浄ノズルに設けられたノズルヘッドの側断面図である。
【符号の説明】
１０：衛生洗浄装置の洗浄ノズル、１１：局部洗浄手段、１２：フィルタ、１３：逆止弁、１４：調圧弁、１５：電磁弁、１６：逃がし弁、１７：熱交換器、１８：流量調整弁、１９：ノズル駆動モータ、２０：操作手段、２１：制御回路、２２：洗浄ノズル本体、２３：ノズルヘッド、２４：凹部、２５：係合部、２６：おしり洗浄用流路、２７：やわらか洗浄用流路、２８：ビデ洗浄用流路、２９：洗浄水流入口、３０：ノズルヘッド本体、３１：上蓋、３２：下蓋、３３：熱かしめ用突起部、３４：貫通孔、３５：縁部、３６：係合部、３７：嵌入部、３８：係合穴、３９：壁部、４０：凹部、４１：超音波溶着用リブ、４２：おしり洗浄用旋回室（旋回室）、４３：やわらか洗浄用旋回室、４４：ビデ洗浄用旋回室、４５：部屋、４６：おしり洗浄用吐水孔（開口部）、４７：揺動体（旋回部材）、４８：流入口、４９：吐出口、５０：吐水流路、５１：内側壁部（第１の接触部）、５２：弾性部材（第１の弾性部材）、５３：突出部、５４：段差部、５５：凹部、５６：貫通孔、５７：スペーサ（固定部材）、５８：貫通孔、５９：溝部、６０：Ｏリング（シール部材）、６１：切欠き、６２：係合部、６３：ダイヤフラム（回転支持部材）、６４：当接部、６５：固定孔、６６：やわらか洗浄用吐水孔、６７：噴出口、６８：邪魔板、６９：旋回量調整部、７０：ビデ洗浄用吐水孔、７１：噴出口、７２：邪魔板、７３：ボス、７５：揺動体（旋回部材）、７６：接触部分（第２の接触部）、７７：溝部、７８：弾性部材（第２の弾性部材）、８０：ノズルヘッド、８１：おしり洗浄用旋回室（旋回室）、８２：拡径部、８３：ガイド部、８４、８５：弾性部材（第３の弾性部材）、８６、８７：係止部、８８：貫通孔、９０：ノズルヘッド、９１：おしり洗浄用旋回室（旋回室）、９２：拡径部、９３：ガイド部、９４：弾性部材（第３の弾性部材）、９５：係止部、９６：貫通孔、１００：ノズルヘッド、１０１：ノズルヘッド本体、１０２：上蓋、１０３：おしり洗浄用旋回室（旋回室）、１０４：ビデ洗浄用旋回室、１０５：おしり洗浄用吐水孔（開口部）、１０６：ビデ洗浄用吐水孔、１０７、１０８：揺動体（旋回部材）、１０９、１１０：内側壁部、１１１〜１１６：平面部
【図１】
2004285565.tif 000003
【図２】
2004285565.tif 000004
【図３】
2004285565.tif 000005
【図４】
2004285565.tif 000006
【図５】
2004285565.tif 000007
【図６】
2004285565.tif 000008
【図７】
2004285565.tif 000009
【図８】
2004285565.tif 000010
【図９】
2004285565.tif 000011
【図１０】
2004285565.tif 000012
【図１１】
2004285565.tif 000013
【図１２】
2004285565.tif 000014
【図１３】
2004285565.tif 000015
【図１４】
2004285565.tif 000016
【図１５】
2004285565.tif 000017
【図１６】
2004285565.tif 000018
【図１７】
2004285565.tif 000019
【図１８】
2004285565.tif 000020
【図１９】
2004285565.tif 000021